(57)【特許請求の範囲】
【請求項１】
非伸縮性の外側片と当該外側片よりも伸縮性を有する内側片とで形成される帯状袋内に、流体の出入により膨張・収縮する流体袋を備える生体圧迫装置において、
前記帯状袋は、前記内側片の両端部を当該帯状袋内に且つ前記流体袋側に折り畳み、この内側片の折り畳み部分と前記外側片の両端部とを前記内側片の測定部位に接する面に垂直な方向に接合し、この接合部分が当該帯状袋外に位置してなることを特徴とする生体圧迫装置。
【請求項２】
非伸縮性の外側片と当該外側片よりも伸縮性を有する内側片とで形成される帯状袋内に、流体の出入により膨張・収縮する流体袋を備える生体圧迫装置において、
前記帯状袋は、前記内側片と外側片の両方の両端部を当該帯状袋内に且つ前記流体袋側に折り畳み、この内側片と外側片の折り畳み部分同士を前記内側片の測定部位に接する面に垂直な方向に接合し、この接合部分が当該帯状袋外に位置してなることを特徴とする生体圧迫装置。
【発明の詳細な説明】
【０００１】
【発明の属する技術分野】
本発明は、測定部位として例えば上腕や手首に巻回し、その測定部位を圧迫して血圧を測定するのに使用する生体圧迫装置に関する。
【０００２】
【従来の技術】
従来、その種の生体圧迫装置は、例えば図５に示すような手首血圧計に装備され、血圧計本体６０に取付けられる。この生体圧迫装置５０は、その概略横断面図を図６に示すように、非伸縮性の外側片５１と、外側片５１よりも伸縮性を有する内側片５２と、外側片５１及び内側片５２で形成された帯状袋の内部に設けられた空気袋５３とを備える。なお、図６には示されていないが、空気袋５３の外側（外側片５１側）には、空気袋５３の外側への膨らみを抑えると共に、所定の湾曲形状を弾性的に保持する可撓性のクリップ板が配置されている。
【０００３】
外側片５１と内側片５２の各々の両端部５１ａ，５２ａには、この両端部５１ａ，５２ａを隠すようにバイアステープ５５が取付けられ、このバイアステープ５５と両端部５１ａ，５２ａが縫製や溶着等部分５７により一体に接合されることで、帯状袋が形成される。
【０００４】
バイアステープ５５を用いるのは、縫製により帯状袋を形成する場合に、伸縮性の内側片５２の端部５２ａがほつれてくるのを防ぐのと、非伸縮性の外側片５１と伸縮性の内側片５２の端部５１ａ，５２ａがぴったりと一致しないと商品性が落ちてしまうのを防ぐためである。また、溶着で帯状袋を形成する場合も、伸縮性の内側片５２の端部５２ａが徐々にほつれてくるのを防ぐために、バイアステープ５５を用いる。
【０００５】
【発明が解決しようとする課題】
しかしながら、上記のような生体圧迫装置５０では、バイアステープ５５を用いるので、材料費、工費が余分に必要となり、コスト高になるだけでなく、バイアステープ５５を取付けるための取付代が必要となり、装置５０の短尺方向の幅が広くなり、装置５０を測定部位７０に装着し難くなる。
【０００６】
本発明は、そのような従来の問題点に着目してなされたもので、商品性を確保しつつコスト削減と短尺方向幅の縮小を実現する生体圧迫装置を提供することを目的とする。
【０００７】
【課題を解決するための手段】
上記目的を達成するために、本発明の生体圧迫装置は、非伸縮性の外側片と当該外側片よりも伸縮性を有する内側片とで形成される帯状袋内に、流体（空気、水等）の出入により膨張・収縮する流体袋を備えるものにおいて、前記帯状袋が次の構成ａ，ｂのいずれかを備えることを特徴とする。
（構成ａ）
前記帯状袋は、前記内側片の両端部を当該帯状袋内に且つ前記流体袋側に折り畳み、この内側片の折り畳み部分と前記外側片の両端部とを前記内側片の測定部位に接する面に垂直な方向に接合し、この接合部分が当該帯状袋外に位置してなる。
（構成ｂ）
前記帯状袋は、前記内側片と外側片の両方の両端部を当該帯状袋内に且つ前記流体袋側に折り畳み、この内側片と外側片の折り畳み部分同士を前記内側片の測定部位に接する面に垂直な方向に接合し、この接合部分が当該帯状袋外に位置してなる。
【０００８】
これら構成ａ，ｂのいずれでも、バイアステープ等の別途部材を用いることなく、伸縮性の内側片の端部を帯状袋内部に隠して外側片と内側片の端部をしっかりと接合することができるので、伸縮性の内側片の端部がほつれて商品性が損なわれるようなことはなく、コストを削減できる上に、短尺方向の幅を狭くすることができ、装置を測定部位に装着し易くなる。
【０００９】
なお、非伸縮性の外側片と当該外側片よりも伸縮性を有する内側片は、それぞれ特性に適した異なる材料を用いて作製するのが最適であるが、作製された外側片及び内側片は、結果として外側片が非伸縮性で、内側片が外側片よりも伸縮性であれば、同じ材料を用いて作製してもよい。具体的には、非伸縮性の外側片は、例えばナイロン糸の布に塩化ビニルをラミネートしたものを用い、伸縮性の内側片は、例えばウレタン糸の布を用いる。
【００１０】
【発明の実施の形態】
以下、本発明を実施の形態に基づいて説明する。
【００１１】
その一実施形態に係る生体圧迫装置の概略横断面図を図１に示す。この生体圧迫装置１０は、非伸縮性の外側片１１と、この外側片１１よりも伸縮性を有する内側片１２とで形成される帯状袋内に、空気の出入により膨張・収縮する空気袋（流体袋）１３を備える。なお、図１には示されていないが、空気袋１３の外側（外側片１１側）には、空気袋１３の外側への膨らみを抑えると共に所定の湾曲形状を弾性的に保持する可撓性のクリップ板が配置されている。また、外側片１１の一端部（測定部位７０に巻付けるときに引っ張らない端部）の表面に面ファスナが設けられ、内側片１２の一端部（引っ張り端部）の表面に面ファスナが設けられ、この面ファスナにより生体圧迫装置１０を測定部位７０に巻付状態で固定する。
【００１２】
この生体圧迫装置１０では、帯状袋は、内側片１２の両端部１２ａを帯状袋内に折り畳み、この内側片１２の折り畳み部分１２ａと外側片１１の両端部１１ａとを縫製又は溶着等部分１７により接合してなることが特徴である。この装置１０によると、ほつれ易い内側片１２の端部１２ａが帯状袋内に隠れるので、帯状袋の外部に現れる内側片１２の端部が丸くなり、商品性を十分に維持できる。勿論、バイアステープ等を用いないので、コストを削減できる上に、装置１０の短尺方向の幅を例えば２〜３ｍｍ程度狭くすることができ、装置１０を測定部位７０に装着し易くなる。
【００１３】
別実施形態に係る生体圧迫装置の概略横断面図を図２に示す。この生体圧迫装置２０は、上記装置１０と同様に、非伸縮性の外側片２１と、この外側片２１よりも伸縮性を有する内側片２２と、空気袋２３と、クリップ板（図示せず）とを備える。
【００１４】
この生体圧迫装置２０では、帯状袋は、外側片２１と内側片２２の両方の両端部２１ａ，２２ａを帯状袋内に折り畳み、この外側片２１と内側片２２の折り畳み部分２１ａ，２２ａ同士を縫製又は溶着等部分２７により接合してなる。この装置２０でも、内側片２２の端部２２ａが帯状袋内に隠れるので、帯状袋の外部に現れる内側片２２の端部が丸くなり、商品性を十分に維持できる。勿論、前記と同様にバイアステープ等を用いないので、コスト削減及び短尺方向幅の縮小を実現できる。
【００１５】
更に別実施形態に係る生体圧迫装置の概略横断面図を図３に示す。この生体圧迫装置３０も、非伸縮性の外側片３１と、この外側片３１よりも伸縮性を有する内側片３２と、空気袋３３と、クリップ板（図示せず）とを備える。
【００１６】
この生体圧迫装置３０では、帯状袋は、外側片３１と内側片３２の両方の両端部３１ａ，３２ａを接合してなる帯状袋の内外を、ワイシャツの袖の表裏を引っ繰り返すのと同様に引っ繰り返してなる。つまり、最初に外側片３１と内側片３２を互いに表面同士を向き合わせて重ね、その両端部３１ａ，３２ａを縫製又は溶着等部分３７により接合し、次いでこの帯状袋の内外を引っ繰り返せば、図３のように縫製又は溶着等部分３７が帯状袋内に位置することになる。この結果、前記と同様の作用効果が得られる。
【００１７】
上記生体圧迫装置１０の表側の斜視図を図４に示す（装置２０，３０も同様である。）。図１における縫製又は溶着等部分１７は図中の破線部分であり、具体的には内側片１２の端縁から例えば１．６ｍｍ内側に入ったところである。但し、内側片１２の長手方向の端部に設けられた面ファスナ１８においては、内側片１２に連接された面ファスナ１８と外側片１１が破線部分に続く一点鎖線部分で縫製又は溶着等部分１７により接合されている。なお、内部の空気袋１３に対する空気の出入を行うために、血圧計本体からのチューブ等が接続されるニップル１９が設けられている。
【００１８】
【発明の効果】
本発明の生体圧迫装置によれば、以上説明したように構成されるため、バイアステープ等の別途部材を用いることなく、伸縮性の内側片の端部を帯状袋内部に隠して外側片と内側片の端部をしっかりと接合することができるので、伸縮性の内側片の端部がほつれて商品性が損なわれるようなことはなく、コストを削減できる上に、短尺方向の幅を狭くすることができ、装置を測定部位に装着し易くなる。
【図面の簡単な説明】
【図１】一実施形態に係る生体圧迫装置の概略横断面図である。
【図２】別実施形態に係る生体圧迫装置の概略横断面図である。
【図３】更に別実施形態に係る生体圧迫装置の概略横断面図である。
【図４】同実施形態の生体圧迫装置の表側を示す斜視図である。
【図５】一般的な手首血圧計を示す斜視図である。
【図６】従来例に係る生体圧迫装置の概略横断面図である。
【符号の説明】
１０，２０，３０    生体圧迫装置
１１，２１，３１    外側片
１２，２２，３２    内側片
１３，２３，３３    空気袋（流体袋）
１７，２７，３７    縫製又は溶着等部分
１１ａ，１２ａ      端部
２１ａ，２２ａ      端部
３１ａ，３２ａ      端部
７０                測定部位
【図１】
0003711832.tif 000002
【図２】
0003711832.tif 000003
【図３】
0003711832.tif 000004
【図４】
0003711832.tif 000005
【図５】
0003711832.tif 000006
【図６】
0003711832.tif 000007